(57)【特許請求の範囲】
【請求項１】
ユーザ機器（ＵＥ）における無線通信の方法において、
１２８の拡散率を用いてＨＳ−ＤＰＣＣＨスロットを拡散することと、
前記ＨＳ−ＤＰＣＣＨスロットの第１の半分の間に第１キャリアおよび第２キャリアについてのアクノレッジメントステータスを送信することと、
前記ＨＳ−ＤＰＣＣＨスロットの第２の半分の間にアクノレッジメントステータスを送信することと、ここにおいて、前記第２の半分は、第３および第４キャリアの一方または両方、または、前記第１および第２キャリアに関するリピートアクノレッジメント、に関するアクノレッジメントステータスを具備する、
ここにおいて、前記第１および第２のキャリアに関するアクノレッジメントステータスを送信することは、Ｗ−ＣＤＭＡ（登録商標）標準のＲｅｌ−９で指定されたＤＣ−ＭＩＭＯコードブック、または前記Ｗ−ＣＤＭＡ標準のＲｅｌ−９で指定されたＤＣ−ＨＳＤＰＡコードブックから選択されたコードワードを送信することを具備し、前記第１および第２のキャリアは、それぞれの論理キャリアに対応し、前記ＵＥは少なくとも３つのキャリアを受信するように構成される、
を備える方法。
【請求項２】
前記第１の半分は、時間において、前記第２の半分に先行する、請求項１に記載の方法。
【請求項３】
前記第１キャリアおよび第２キャリアは、それぞれ、第１論理キャリアおよび第３論理キャリアに対応し、前記第２論理キャリアはデアクティベートされる、請求項１に記載の方法。
【請求項４】
第１キャリアおよび第２キャリアについてのアクナレッジメントステータスを送信することは、前記ＤＣ−ＨＳＤＰＡコードブックから前記コードワードを送信することを備え、前記ＤＣ−ＨＳＤＰＡコードブックは、ＤＴＸ−ＤＴＸコードワードを含むように増加される、請求項１に記載の方法。
【請求項５】
第１キャリアおよび第２キャリアについてのアクナレッジメントステータスを送信することは、前記ＤＣ−ＭＩＭＯコードブックからのコードワードを送信することを備え、前記ＤＣ−ＭＩＭＯコードブックは、ＤＴＸ−ＤＴＸコードワードを含むように増加される、請求項１に記載の方法。
【請求項６】
前記第３キャリアおよび第４キャリアの一方または両方についてのアクナレッジメントステータスを送信することは、Ｗ−ＣＤＭＡ規格で指定されたシングルキャリアコードブックから選択されたコードワードを送信することを備える、請求項１に記載の方法。
【請求項７】
前記第３キャリアについてのアクナレッジメントステータスを送信することはデュアルキャリアコードワードを送信することを備え、前記デュアルキャリアコードワードは、第４キャリアについてのＤＴＸをさらに指定する、請求項１に記載の方法。
【請求項８】
第２のＨＳ−ＤＰＣＣＨスロットの間に、
拡散率２５６を使用して前記第２のスロットを拡散することをさらに備え、ここにおいて、前記第１および第２のキャリアに関するアクノレッジメントステータスを送信することは、前記第２のスロットの全持続時間の間にＤＣ−ＭＩＭＯコードブックからの前記コードワードを送信することを備える、請求項１に記載の方法。
【請求項９】
前記第１キャリアおよび第２キャリアの少なくとも１つは、ＭＩＭＯをサポートするように構成される、請求項１に記載の方法。
【請求項１０】
ユーザ機器（ＵＥ）装置であって、
ＨＳＤＰＡシステムについての受信信号に存在する少なくとも１つのキャリアを検出するように構成されたキャリア検出モジュールと、
少なくとも１つの検出されたキャリアからデータを復号するように構成されたキャリア受信モジュールと、
前記キャリア受信モジュールおよび前記キャリア検出モジュールの出力に基づいて、第１キャリアおよび第２キャリアについての第１のコードワードシグナリングアクナレッジメントステータスと、第３キャリアおよび第４キャリアの一方または両方、または、前記第１キャリアおよび第２キャリアについてのリピートアクノレッジメント、に関する第２のコードワードシグナリングアクノレジメントステータスを生成するように構成された符号器と、
ＨＳ−ＤＰＣＣＨスロットの第１の半分の間に、前記第１のコードワードを送信し、前記ＨＳ−ＤＰＣＣＨスロットの第２の半分の間に前記第２のコードワードを送信するように構成された送信モジュールと、ここにおいて、前記ＨＳ−ＤＰＣＣＨスロットは１２８の拡散率を用いて拡散され、
前記送信モジュールは、Ｗ−ＣＤＭＡ標準のＲｅｌ−９において指定されたＤＣ−ＭＩＭＯコードブックまたは前記Ｗ−ＣＤＭＡ標準のＲｅｌ−９において指定されたＤＣ−ＨＳＤＰＡコードブックから選択されたコードワードを送信することにより前記第１および第２のキャリアに関するアクノレッジメントステータスを送信するようにさらに構成され、前記第１および第２のキャリアはそれぞれの論理キャリアに対応し、前記ＵＥは少なくとも３つのキャリアを受信するように構成される、
を備える装置。
【請求項１１】
前記送信モジュールは、前記ＤＣ−ＭＩＭＯコードブックからのコードワードを送信することによって、前記第１キャリアおよび第２キャリアについてのアクノレッジメントステータスを送信するようにさらに構成され、前記ＤＣ−ＭＩＭＯコードブックは、ＤＴＸ−ＤＴＸコードワードを含むように増加される、請求項１０に記載の装置。
【請求項１２】
前記送信モジュールは、Ｗ−ＣＤＭＡ標準規格で指定されたシングルキャリアコードブックから選択された前記コードワードを送信することによって、前記第３および第４キャリアの一方または両方についてのアクノレッジメントステータスを送信するようにさらに構成される、請求項１０に記載の装置。
【請求項１３】
前記送信モジュールは、デュアルキャリアコードワードを送信することによって、前記第３および第４キャリアの一方または両方についてのアクノレッジメントステータスを送信するようにさらに構成され、前記デュアルキャリアコードワードは、第４キャリアについてのＤＴＸを指定する、請求項１０に記載の装置。
【請求項１４】
前記送信モジュールは、第２のＨＳ−ＤＰＣＣＨスロットの間に、
拡散率２５６を使用して前記第２スロットを拡散するように、
前記第２スロットの全持続時間の間に前記ＤＣ−ＭＩＭＯコードブックから選択された前記第１キャリアおよび第２キャリアについてのコードワードを送信するように、
さらに構成される、請求項１０に記載の装置。
【請求項１５】
ユーザ機器（ＵＥ）装置において、
１２８の拡散率を用いてＨＳ−ＤＰＣＣＨスロットを拡散する手段と、
前記ＨＳ−ＤＰＣＣＨスロットの第１の半分の間に第１キャリアおよび第２キャリアについてのアクノレッジメントステータスを送信するための手段と、
前記ＨＳ−ＤＰＣＣＨスロットの第２の半分の期間にアクノレッジメントステータスを送信する手段と、ここにおいて、前記第２の半分は、第３および第４キャリアの一方または両方、または、前記第１および第２キャリアに関するリピートアクノレッジメント、に関するアクノレッジメントステータスを具備する、
ここにおいて、前記第１および第２キャリアに関するアクノレッジメントステータスを送信する手段は、Ｗ−ＣＤＭＡ標準のＲｅｌ−９に指定されたＤＣ−ＭＩＭＯコードブックまたは前記Ｗ−ＣＤＭＡ標準のＲｅｌ−９に指定されたＤＣ−ＨＳＤＰＡコードブックから選択されたコードワードを送信するようにさらに構成され、前記第１および第２のキャリアはそれぞれの論理キャリアに対応し、前記ＵＥは少なくとも３つのキャリアを受信するように構成される、
を備える装置。
【請求項１６】
ユーザ機器（ＵＥ）に、
１２８の拡散率を用いてＨＳ−ＤＰＣＣＨスロットを拡散させ、
ＨＳ−ＤＰＣＣＨスロットの第１の半分の間に第１キャリアおよび第２キャリアについてのアクノレッジメントステータスを送信させ、
前記ＨＳ−ＤＰＣＣＨスロットの第２の半分の間にアクノレッジメントステータスを送信させる、ここにおいて、前記第２の半分は第３および第４キャリアの一方または両方、または、前記第１および第２キャリアに関するリピートアクノレッジメント、に関するアクノレッジメントステータスを具備する、ための命令、
を格納し、
前記ＵＥに、前記第１および第２キャリアに関する前記アクノレッジメントステータスを送信させるための命令は、前記ＵＥにＷ−ＣＤＭＡ標準のＲｅｌ−９に指定されたＤＣ−ＭＩＭＯコードブックまたは前記Ｗ−ＣＤＭＡ標準のＲｅｌ−９に指定されたＤＣ−ＨＳＤＰＡコードブックから選択されたコードワードを送信させるように構成され、
前記第１および第２のキャリアはそれぞれの論理キャリアに対応し、
前記ＵＥは少なくとも３つのキャリアを受信するように構成される、非一時的なコンピュータ読み取り可能記録媒体。
【請求項１７】
少なくとも３つのキャリアを受信するように構成されたユーザ機器（ＵＥ）と通信するための方法において、
ＨＳ−ＤＰＣＣＨスロットの第１の半分の間に第１キャリアおよび第２キャリアについてのアクナレッジメントステータスを受信することと、ここにおいて、前記ＨＳ−ＤＰＣＣＨスロットは１２８の拡散率により拡散される、
前記ＨＳ−ＤＰＣＣＨスロットの第２の半分の間にアクノレッジメントステータスを受信することと、ここにおいて、前記第２の半分は、第３および第４キャリアの一方または両方、または、前記第１および第２キャリアに関するリピートアクノレッジメント、に関するアクノレッジメントステータスを具備する、
を備え、
前記第１および第２キャリアに関するアクノレッジメントステータスを受信することは、Ｗ−ＣＤＭＡ標準のＲｅｌ−９に指定されたＤＣ−ＭＩＭＯコードブックまたは前記Ｗ−ＣＤＭＡ標準のＲｅｌ−９に指定されたＤＣ−ＨＳＤＰＡコードブックから選択されたコードワードを受信することを具備し、前記第１および第２のキャリアはそれぞれの論理キャリアに対応する方法。
【請求項１８】
少なくとも３つのキャリアを受信するように構成されたユーザ機器（ＵＥ）と通信するための装置において、
ＨＳ−ＤＰＣＣＨスロットの第１の半分の間に、第１キャリアおよび第２キャリアについての第１のコードワードシグナリングアクノレッジメントステータスと、前記ＨＳ−ＤＰＣＣＨスロットの第２の半分の間に、第２のコードワードシグナリングアクノレジメントステータスを受信するように構成された受信モジュールと、ここにおいて、前記第２のコードワードシグナリングアクノレジメントステータスは、第３および第４キャリアの一方または両方に関する、または、前記第１および第２キャリアに関するリピートアクノレッジメント、に関するものである、ここにおいて、前記ＨＳ−ＤＰＣＣＨスロットは１２８の拡散率により拡散され、前記受信モジュールはさらに、Ｗ−ＣＤＭＡ標準のＲｅｌ−９に指定されたＤＣ−ＭＩＭＯコードブックまたは前記Ｗ−ＣＤＭＡ標準のＲｅｌ−９に指定されたＤＣ−ＨＳＤＰＡコードブックから選択されたコードワードを受信するように構成され、前記第１および第２のキャリアはそれぞれの論理キャリアに対応する、
前記第１および第２のコードワードシグナリングアクノレッジメントステータスを復号するように構成された復号モジュールと、
を備える装置。
【発明の詳細な説明】
【関連出願】
【０００１】
本願は、２０１０年２月１０日に出願され、本願の譲受人によって譲渡された、「HS-DPCCH Code Mapping for 4C-HSDPA」と題された米国仮特許出願第６１／３０３，３０１号の利益を主張し、その内容は、それらの全体において参照によりここによって組み込まれる。
【技術分野】
【０００２】
本発明は、一般的には無線通信に関し、より具体的には、無線通信システムにおけるアクナレッジメントステータスメッセージシグナリング(acknowledgement status message signaling)のための技法に関する。
【背景技術】
【０００３】
無線通信システムは、例えば、音声、データ等のようなさまざまなタイプのコンテンツを提供するために広く展開されている。これらのシステムは、（例えば、帯域幅、送信電力等のような）利用可能なシステムリソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰロングタームエボリューション（ＬＴＥ）システム、および直交周波数分割多元接続（ＯＦＤＭＡ）システムを含む。
【０００４】
高速ダウンリンクパケットアクセス（ＨＳＤＰＡ）は、Ｗ−ＣＤＭＡ標準規格または３ＧＰＰに基づくモバイルセルラネットワークにおける高速データ移送のためのプロトコルである。デュアルセルＨＳＤＰＡ（ＤＣ−ＨＳＤＰＡ）として知られるＨＳＤＰＡのバージョンでは、ノードＢからＵＥまでのデータが、最大２キャリアを使用してダウンリンク上で送信されうる。ＵＥ側では、ＵＥは、アップリンクチャネル、例えばＨＳ−ＤＰＣＣＨチャネル上で、ＡＣＫ、ＮＡＣＫ、またはＤＴＸを送信することによってダウンリンクキャリアのアクナレッジメントステータスをシグナリングしうる。
【０００５】
マルチキャリアＨＳＤＰＡの従来の実装では、最大２キャリアについてのアクナレッジステータスがコードブックにしたがって特定のコードマップ上へとマッピングされるシグナリングメカニズムが提供され、コードワードのシンボルは、拡散率２５６を使用してＨＳ−ＤＰＣＣＨチャネル上へと拡散される。ダウンリンク上で最大４キャリアがＵＥへ送信される、４キャリアＨＳＤＰＡ（４Ｃ−ＨＳＤＰＡ）として知られているＨＳＤＰＡの新規バージョンでは、大多数のダウンリンクキャリアについてのアクナレッジメントステータスをシグナリングするためにアップリンク上の代替シグナリングメカニズムが必要とされる。
【０００６】
できる限り、既存の技法、例えば、前から存在するＨＳＤＰＡチャネルフォーマットおよびコードブックを有効に使用する４Ｃ−ＨＳＤＰＡのアクナレッジメントステータスシグナリングスキームを提供することが望ましいであろう。４Ｃ−ＨＳＤＰＡで特に生じるさらなるシナリオを適用する必要に応じて、新規技法、例えば新規チャネルフォーマットおよび新規コードワードを導入することがさらに望ましいであろう。
【発明の概要】
【０００７】
本開示の一態様は、ＨＳ−ＤＰＣＣＨスロットの第１の半分の間に第１キャリアおよび第２キャリアについてのアクナレッジメントステータスを送信すること、を備える方法を提供する。
【０００８】
本開示の別の態様は、ＨＳＤＰＡシステムについての受信信号に存在する少なくとも１つのキャリアを検出するように構成されたキャリア検出モジュールと、少なくとも１つの検出されたキャリアからデータを復号するように構成されたキャリア受信モジュールと、キャリア受信モジュールおよびキャリア検出モジュールの出力に基づいて、第１キャリアおよび第２キャリアについてのコードワードシグナリングアクナレッジメントステータスを生成するように構成された符号器と、ＨＳ−ＤＰＣＣＨスロットの第１の半分の間に、コードワードを送信するように構成された送信モジュールと、を備える装置を提供する。
【０００９】
さらに、本開示の別の態様は、ＨＳ−ＤＰＣＣＨスロットの第１の半分の間に第１キャリアおよび第２キャリアについてのアクナレッジメントステータスを送信するための手段、を備える装置を提供する。
【００１０】
さらに、本開示の別の態様は、ＨＳ−ＤＰＣＣＨスロットの第１の半分の間に第１キャリアおよび第２キャリアについてのアクナレッジメントステータスをコンピュータに送信させるための命令、を格納するコンピュータ可読記憶媒体を提供する。
【００１１】
さらに、本開示の別の態様は、ＨＳ−ＤＰＣＣＨスロットの第１の半分の間に第１キャリアおよび第２キャリアについてのアクナレッジメントステータスを受信すること、を備える方法を提供する。
【００１２】
さらに、本開示の別の態様は、ＨＳ−ＤＰＣＣＨスロットの第１の半分の間に、第１キャリアおよび第２キャリアについてのコードワードシグナリングアクナレッジメントステータスを受信するように構成された受信モジュールと、コードワードシグナリングアクナレッジメントステータスを復号するように構成された復号モジュールと、を備える装置を提供する。
【図面の簡単な説明】
【００１３】
【図１】図１は、無線通信システムの例を図示する。
【図２Ａ】図２Ａは、それぞれ、周波数ｆ１、ｆ２におけるＵＥへのダウンリンク送信についてスケジュールされた２つのキャリアＣ１、Ｃ２を図示する例示的な周波数スペクトラムを図示する。
【図２Ｂ】図２Ｂは、Ｗ−ＣＤＭＡ標準規格のリリース９で開示されるようにＨＳ−ＤＰＣＣＨについての従来技術のチャネル構造を図示する。
【図２Ｃ】図２Ｃは、従来技術のシグナリング技法によるＨＡＲＱ−ＡＣＫスロットで送信されうる情報を図示する。
【図３】図３は、それぞれ、周波数ｆ１、ｆ２、ｆ３、ｆ４におけるＵＥによって検出された４つのキャリアＣ１、Ｃ２、Ｃ３、Ｃ４を図示する例示的な周波数スペクトラムを図示する。
【図４】図４は、図３で図示される、最大４ダウンリンクキャリアをＵＥがアクナレッジしうるＨＳ−ＤＰＣＣＨのＨＡＲＱ−ＡＣＫスロットの例示的なインスタンスを図示する。
【図５】図５は、それぞれ、周波数ｆ１、ｆ２、ｆ３におけるＵＥによって検出される３つのキャリアＣ１、Ｃ２、Ｃ３を図示する例示的な周波数スペクトラムを図示し、３つのダウンリンクキャリアまたは４つのダウンリンクキャリアのいずれかがＵＥについてスケジュールされる。
【図６】図６は、図５で図示される３つのダウンリンクキャリアについてのアクナレッジメントステータスをＵＥがシグナリングするＨＡＲＱ−ＡＣＫスロットの例示的なインスタンスを図示する。
【図７】図７は、それぞれ、周波数ｆ１、ｆ３におけるＵＥによって検出された２つのキャリアＣ１、Ｃ３を図示する例示的な周波数スペクトラムを図示し、２つのダウンリンクキャリア、３つのダウンリンクキャリア、または４つのダウンリンクキャリアのいずれかがＵＥについてスケジュールされる。
【図８】図８は、図７で図示される２つのダウンリンクキャリアをＵＥがアクナレッジするＨＡＲＱ−ＡＣＫスロットの例示的なインスタンスを図示する。
【図９】図９は、それぞれ、周波数ｆ１、ｆ２におけるＵＥによって検出された２つのキャリアＣ１、Ｃ２を図示する例示的な周波数スペクトラムを図示し、２つのダウンリンクキャリア、３つのダウンリンクキャリア、または４つのダウンリンクキャリアのいずれかがＵＥについてスケジュールされる。
【図１０Ａ】図１０Ａは、図９で示される２つのダウンリンクキャリアのアクナレッジメントをシグナリングするための、ＵＥのスキームの例示的な実施形態を図示する。
【図１０Ｂ】図１０Ｂは、図９で示される２つのダウンリンクキャリアのアクナレッジメントをシグナリングするための、ＵＥのスキームの例示的な実施形態を図示する。
【図１０Ｃ】図１０Ｃは、図９で示される２つのダウンリンクキャリアのアクナレッジメントをシグナリングするための、ＵＥのスキームの例示的な実施形態を図示する。
【図１０Ｄ】図１０Ｄは、図９で示される２つのダウンリンクキャリアのアクナレッジメントをシグナリングするための、ＵＥのスキームの例示的な実施形態を図示する。
【図１０Ｅ】図１０Ｅは、図９で示される２つのダウンリンクキャリアのアクナレッジメントをシグナリングするための、ＵＥのスキームの例示的な実施形態を図示する。
【図１１Ａ】図１１Ａは、本開示による装置の例示的な実施形態を図示する。
【図１１Ｂ】図１１Ｂは、本開示による装置の例示的な実施形態を図示する。
【図１２Ａ】図１２Ａは、本開示による方法の例示的な実施形態を図示する。
【図１２Ｂ】図１２Ｂは、本開示による方法の例示的な実施形態を図示する。
【図１３Ａ】図１３Ａは、本開示の原理が適用されうるＵＭＴＳにしたがって動作する例示的な無線ネットワークを図示する。
【図１３Ｂ】図１３Ｂは、本開示の原理が適用されうるＵＭＴＳにしたがって動作する例示的な無線ネットワークを図示する。
【図１３Ｃ】図１３Ｃは、本開示の原理が適用されうるＵＭＴＳにしたがって動作する例示的な無線ネットワークを図示する。
【図１３Ｄ】図１３Ｄは、本開示の原理が適用されうるＵＭＴＳにしたがって動作する例示的な無線ネットワークを図示する。
【詳細な説明】
【００１４】
用語「例示的な(exemplary)」は、「例(example)、事例(instance)、または例証(illustration)として機能していること」を意味するように、ここでは使用されている。「例示的(exemplary)」としてここで説明されるいずれの実施形態も、他の実施形態よりも好まれるまたは有利であると必ずしも解釈されない。
【００１５】
図面に関連して後述される詳細な説明は、本発明の例示的な実施形態の説明として意図されており、本発明が実践されることができる実施形態のみを表すように意図されていない。詳細な説明は、本発明の例示的な実施形態の完全な理解を提供する目的で具体的な詳細を含む。当業者にとって、本発明の例示的な実施形態はこれらの具体的な詳細なしに実践されうることは明白であろう。他の例では、ここで示された例示的な実施形態の新規性を不明瞭にすることを回避するために、周知の構造およびデバイスがブロック図で示されている。
【００１６】
図１を参照すると、無線セルラ通信システム１００では、参照番号１０２Ａ−１０２Ｇはセルを指し、参照番号１６０Ａ−１６０Ｇ（１６０と総称して表される）はノードＢを指し、参照番号１０６Ａ−１０６Ｉ（１０６と総称して表される）は、ユーザ機器（ＵＥ）を指す。通信チャネルは、ノードＢ１６０からＵＥ１０６までの送信のためのダウンリンク（順方向リンクとしても知られている）と、ＵＥ１０６からノードＢ１６０までの送信のためのアップリンク（逆方向リンクとしても知られている）と、を含む。送信は、多入力多出力（ＭＩＭＯ）または非ＭＩＭＯスキームを使用して実行されうる。ノードＢは、ベーストランシーバシステム（ＢＴＳ）、アクセスポイントまたは基地局とも呼ばれる。ＵＥ１０６は、アクセス局、遠隔局、移動局または加入者局としても知られている。ＵＥ１０６は、移動式または固定式でありうる。更に、ＵＥ１０６は、例えば光ファイバーあるいは同軸ケーブルを使用して、無線チャネルを通じて、または、有線チャネルを通じて、通信するいずれのデータデバイスでありうる。ＵＥ１０６はさらに、限定されないがＰＣカード、コンパクトフラッシュ（登録商標）、外部または内部モデム、または無線または有線の電話を含む多数のタイプのデバイスのいずれかでありうる。
【００１７】
最新の通信システムは、複数のユーザが共通の通信媒体にアクセスすることを可能にするように設計される。多くの多元接続技法、例えば、時分割多元接続（ＴＤＭＡ）、周波数分割多元接続（ＦＤＭＡ）、空間分割多元接続、偏光分割多元接続(polarization division multiple-access)、符号分割多元接続（ＣＤＭＡ）、および他の同様な多元接続技法が当技術分野において知られている。多元接続という概念は、共通の通信リンクに対する複数のユーザのアクセスを可能にするチャネル割付方法である。チャネル割付は、特定の多元接続技法に依存して様々な形を取ることができる。例えば、ＦＤＭＡシステムでは、全周波数スペクトラムは、多数の小さいサブバンドに分割され、各ユーザは、通信リンクにアクセスする、自身のサブバンドを与えられる。あるいは、ＣＤＭＡシステムでは、各ユーザは、時間のすべてについて全周波数スペクトラムを与えられるが、コードの使用を通じてその送信を区別する。
【００１８】
本開示のある例示的な実施形態が、Ｗ−ＣＤＭＡとして知られているＣＤＭＡ規格によるオペレーションについて後述されており、当業者は、本技法が他のデジタル通信システムに容易に適用されうるということを理解するであろう。例えば、本開示の技法はまた、ｃｄｍａ２０００無線通信規格、および／またはいずれの他の通信規格に基づくシステムに適用されうる。このような代替の例示的な実施形態は、本開示の範囲内にあることが予期される。
【００１９】
例示的な実施形態では、ノードＢ１６０のうち１つまたは複数は、ダウンリンク上の複数のキャリアを使用してＵＥ１６０へデータを送信しうる。デュアルセルＨＳＤＰＡ（ＤＣ−ＨＳＤＰＡ）として知られているＨＳＤＰＡの例示的な実施形態によれば、ＵＥ１０６は、１つまたは複数のノードＢ１６０によって送信されるようなダウンリンクチャネル（例、ＨＳ−ＰＤＳＣＨ）上で最大２つのキャリアからデータを受信しうる。図２Ａは、それぞれ、周波数ｆ１、ｆ２におけるＵＥへのダウンリンク送信についてスケジュールされた２つの論理キャリアＣ１、Ｃ２を図示する例示的な周波数スペクトラムを図示する。４キャリアＨＳＤＰＡ（４Ｃ−ＨＳＤＰＡ）として知られているＨＳＤＰＡの例示的な実施形態によれば、ＵＥ１６０Ａは、最大４キャリアからデータを受信しうる。ＤＣ−ＭＩＭＯとして知られている例示的な実施形態によれば、ＵＥ１０６Ａは、ＭＩＭＯオペレーション（すなわち、「ＭＩＭＯキャリア」）について構成された最大２つのキャリアからデータを受信しうる、４Ｃ−ＭＩＭＯによれば、ＵＥ１０６Ａは、最大４つのＭＩＭＯキャリアからデータを受信しうる。複数の（ＨＳＤＰＡまたはＭＩＭＯ）キャリアからの受信は有効に、キャリアの周波数ダイバーシティに起因してＵＥによって受信されたデータ品質を改善しうる、および、ＵＥへの最大データスループットを増大しうる。
【００２０】
例示的な実施形態では、ＵＥは、例えば当技術分野で知られているＡＲＱまたはハイブリッドＡＲＱスキームにしたがって、アップリンク上で送信することによって、個別に、複数のダウンリンクキャリアの各々をアクナレッジしうる。例えば、３ＧＰＰ  ＴＳ  ２５シリーズＶ９．１．０（２００９−１２）（以降、「リリース９」）は、ＨＳ−ＤＰＣＣＨとして知られる１つのアップリンクチャネル上で最大２つのＨＳＤＰＡダウンリンクキャリアについてのＡＣＫ（アクナレッジメント）、ＮＡＣＫ（ネガティブアクナレッジメント）またはＤＴＸ（検出なし）を示すアクナレッジメントステータスメッセージをＵＥがシグナリングしうるスキームを説明し、その内容は参照によりここに組み込まれる。（例、ＴＳ  ２５．２１２を参照）
図２Ｂは、リリース９で開示されるようなＨＳ−ＤＰＣＣＨについての従来技術のチャネル構造を図示し、その内容は、参照によりここに組み込まれる。図２Ｂで図示されるように、ＨＳ−ＤＰＣＣＨ無線フレームは、複数のサブフレームを含めうる、なお、各サブフレームは、２５６０チップ、または１スロットの持続時間を有するＨＡＲＱ−ＡＣＫスロット２１０を含んでいる。
【００２１】
図２Ｃは、従来技術のシグナリング技法による、ＨＡＲＱ−ＡＣＫスロット２１０で送信されうる情報を図示する。例示的な実施形態では、１０コードシンボルのコードワードは、拡散率（ＳＦ）２５６を使用してＨＡＲＱ−ＡＣＫスロット２１０で送信され、そのコードワードは、ダウンリンク上で最大２つのキャリアについてＡＣＫ、ＮＡＣＫ、またはＤＴＸをシグナリングしうる。例えば、図２Ｃで図示される１つのコードワードは、図２Ａで図示される２つのスケジュールされたキャリアＣ１およびＣ２について別個にＡＣＫ、ＮＡＣＫ、またはＤＴＸをシグナリングしうる。例示的な実施形態では、ＨＳＤＰＡキャリアに関しては、ＴＳ  ２５．２１２の４．７．３Ａ節で提供されるようなコードブックが使用され、ＭＩＭＯキャリアに関しては、ＴＳ  ２５．２１２の４．７．３．Ｂ節で提供されるようなコードブックが使用されうる。あるいは、ＭＩＭＯコードブックは、ＭＩＭＯキャリアおよび非ＭＩＭＯキャリアの両方に使用されることができるであろう。リリース９を含み、リリース９までのＨＳＤＰＡについてのコードブックは、２つのダウンリンクキャリアについてのＤＴＸを同時にシグナリングするためのコードワードを明示的に提供しない、ということに留意されたい。
【００２２】
本明細書および特許請求の範囲では、「検出」という用語は、ＵＥがキャリアのＨＳ−ＳＣＣＨを精確に復号するプロセスを含めうる。例示的な実施形態では、ＵＥは、キャリアのＨＳ−ＳＣＣＨが検出されていないということに応じて、ＤＴＸをシグナリングしうる。他方で、「受信」という用語は、キャリアが検出されると仮定して、キャリアのＨＳ−ＤＰＳＣＨをＵＥが復号するプロセスを含めうる。例示的な実施形態では、ＵＥは、それぞれ、キャリアのＨＳ−ＰＤＳＣＨがエラーありまたはエラーなしで復号されるということに応じて、ＮＡＣＫまたはＡＣＫをシグナリングしうる。さらに、１つまたは複数のスケジュールされたキャリアは「デアクティベート」されうる、その場合には、ノードＢはデアクティベートされたキャリア上でデータをスケジュールせず、ＵＥは、デアクティベートされたキャリア上でデータを期待しないので、これらのキャリア上での受信を試みない。このような例示的な実施形態は、本開示の範囲内にあることが予期される。
【００２３】
本開示によれば、図２Ｂで図示されているような既存のＨＳ−ＤＰＣＣＨチャネル構造を使用して、例えば４ＣーＨＳＤＰＡシステムで使用されるような、最大４つのキャリア（ＨＳＤＰＡまたはＭＩＭＯ）についてのアクナレッジメントステータスをシグナリングするためにＨＳ−ＤＰＣＣＨのための新規な技法が提供される。
【００２４】
図３は、それぞれ、周波数ｆ１、ｆ２、ｆ３、ｆ４におけるＵＥによって検出された４つのキャリアＣ１、Ｃ２、Ｃ３、Ｃ４を図示する例示的な周波数スペクトラムを図示する。図３は、説明のためだけに図示されており、周波数のいずれの特定の組み合わせまたは分散(distribution)に対する本開示の範囲を限定するように意味していない。例えば、論理キャリア（例、Ｃ１〜Ｃ４）の順序は、チャネル周波数（例、ｆ１〜ｆ４）の物理的順序に対応する必要はない。代替の例示的な実施形態では、例えば、Ｃ１は、ｆ４にマッピングされ、Ｃ２は、ｆ３にマッピングされる等である。さらに、このような対応は、シーケンシャルである必要はない、例えば、Ｃ１は、ｆ２にマッピングされ、Ｃ２は、ｆ４にマッピングされ、Ｃ３はｆ１にマッピングされる等である。このような代替の例示的な実施形態は、本開示の範囲内にあることが予期される。
【００２５】
キャリアについてのアクナレッジメントステータスをシグナリングするために、ＵＥは、図２Ｂを参照して説明されるように、ＨＳ−ＤＰＣＣＨチャネルを利用しうる。図４は、図３で図示されるように最大４つのダウンリンクキャリアをＵＥがアクナレッジしうるＨＳ−ＤＰＣＣＨのＨＡＲＱ−ＡＣＫスロット２１０の例示的なインスタンスを図示する。
【００２６】
図４では、ＨＡＲＱ−ＡＣＫスロット２１０の拡散率（ＳＦ）は１２８であるので、２つの１０シンボルコードワード４１０、４２０は、ＨＡＲＱ−ＡＣＫスロット２１０の２５６０チップ内でシリアルに時分割多重されうるということが分かる。第１のコードワード４１０は、スケジュールされたキャリアＣ１およびＣ２についてのＡＣＫまたはＮＡＣＫをシグナリングする１０シンボルコードワードであり、スロット２１０の第１の半分で提供される。第２のコードワード４２０は、スケジュールされたキャリアＣ３およびＣ４についてのＡＣＫまたはＮＡＣＫをシグナリングする１０シンボルコードワードであり、スロット２１０の第２の半分で提供される。すべてのキャリアがＨＳＤＰＡキャリアである例示的な実施形態では、コードワード４１０、４２０は、ＤＣ−ＭＩＭＯのリリース９で指定されるのと同じコードブックから選択されうる。
【００２７】
本明細書および特許請求の範囲では、スロット２１０の「第１の半分」と「第２の半分」という言及は識別するためだけであり、第１の半分がかならずしも第２の半分に時間において先行するということを意味していないということに留意されたい。
【００２８】
図５は、それぞれ、周波数ｆ１、ｆ２、ｆ３におけるＵＥによって検出された３つのキャリアＣ１、Ｃ２、Ｃ３を図示する例示的な周波数スペクトラムを図示し、３つのダウンリンクキャリアまたは４つのダウンリンクキャリアのいずれかがＵＥについてスケジュールされる。図５では、ｆ４およびＣ４に対応するキャリアは、ノードＢによってスケジュールされえない。あるいは、ｆ４およびＣ４に対応するキャリアはＵＥについてスケジュールされうるが、Ｃ４についての対応するＨＳ−ＳＣＣＨは、ＵＥによって精確に検出されえない。さらに別の代替では、第４キャリアは、スケジュールされるがノードＢによって選択的にデアクティベートされるので、ＵＥは４つのキャリアで構成されるが３つのキャリア上でのみアクティブである。図５は、説明のためだけに図示されており、本開示の範囲をキャリア周波数のいずれの特定の割り付け、または、ＵＥによって検出されていないいずれの特定のキャリアまたは周波数に限定するように意味していない。当業者は、ここで開示される技法は、他のシナリオに容易に適用され、ここにおいて、４つのキャリアのうち３つのキャリアがＵＥによって検出されるということを理解するであろう。
【００２９】
図６は、図５で図示される３つのダウンリンクキャリアについてのアクナレッジメントステータスをＵＥがシグナリングするＨＡＲＱ−ＡＣＫスロット２１０の例示的なインスタンスを図示する。図６では、第１のコードワード６１０は、スケジュールされたキャリアＣ１およびＣ２についてのＡＣＫまたはＮＡＣＫをシグナリングする１０シンボルコードワードである。第２のコードワード６２０は、１つのスケジュールされたキャリアＣ３についてのＡＣＫまたはＮＡＣＫを、スケジュールされるまたはスケジュールされていないキャリアＣ４についてのＤＴＸを、シグナリングする１０シンボルコードワードである。例示的な実施形態では、コードワード６１０、６２０は、ＤＣ−ＭＩＭＯのリリース９で指定されたのと同じコードブックから選択されうる。コードワードはＭＩＭＯキャリアがないときでさえもＤＣ−ＭＩＭＯコードブックから選択されうるということが理解されるであろう。
【００３０】
代替の例示的な実施形態（図示されず）では、シングルキャリアＣ３についてのコードワードがシングルキャリアについてのアクナレッジメントステータスをシグナリングするためにコードブックから代わりに選択されうる、ということを当業者は理解するであろう。シングルキャリアコードブックは、例えば、３ＧＰＰ  Ｒｅｌ−５で説明されるようなシングルキャリアＨＳＤＰＡコードブック、または、３ＧＰＰ  Ｒｅｌ−７で説明されるようなシングルキャリアＭＩＭＯコードブックでありうる。ＵＥは、例えばＣ４がデアクティベートされるとき、Ｃ３についてのシングルキャリアコードワードを使用しうる、また、ＵＥとノードＢの双方は、Ｃ４は送信されないということを期待する。このような代替の例示的な実施形態は、本開示の範囲内にあることが予期される。
【００３１】
図５および図６は、キャリアＣ４がＵＥによって検出されない４つのキャリアのうちの１つである場合について説明されており、当業者は、ここで開示される技法が、キャリアＣ１、Ｃ２またはＣ３のうちいずれかはＵＥによって検出されない４つのキャリアのうちの１つである場合に容易に適用されうるということを理解するであろう。例えば、キャリアＣ２、Ｃ３、Ｃ４のみが検出される場合には、図６の第１のコードワード６１０は、代わりにＣ１についてのＤＴＸまたはＣ２についてのＮＡＣＫをシグナリングするように選ばれ、第２のコードワード６２０は、Ｃ３、Ｃ４についてのＡＣＫまたはＮＡＣＫをシグナリングするように選ばれうる。このような例示的な実施形態は、本開示の範囲内にあることが予期される。
【００３２】
図７は、それぞれ、周波数ｆ１、ｆ３におけるＵＥによって検出された２つのキャリアＣ１、Ｃ３を図示する例示的な周波数スペクトラムを図示し、２つのダウンリンクキャリア、３つのダウンリンクキャリア、または４つのダウンリンクキャリアのいずれかがＵＥについてスケジュールされる。図７は説明のためだけに図示されており、キャリア周波数のいずれの特定の割り付けに本開示の範囲を限定することを意味していないということに留意されたい。
【００３３】
図８は、図７で図示される２つのダウンリンクキャリアをＵＥがアクナレッジするＨＡＲＱ−ＡＣＫスロット２１０の例示的なインスタンスを図示する。図８では、第１のコードワード８１０は、検出されたキャリアＣ１についてのＡＣＫまたはＮＡＣＫ、そして、キャリアＣ２についてのＤＴＸをシグナリングする１０シンボルコードワードである。第２のコードワード８２０は、検出されたキャリアＣ３についてのＡＣＫまたはＮＡＣＫ、そして、キャリアＣ４についてのＤＴＸをシグナリングする１０シンボルコードワードである。例示的な実施形態では、コードワード８１０、８２０は、ＤＣ−ＭＩＭＯのリリース９で指定されたのと同じコードブックから選択されうる。
【００３４】
図７および図８は、キャリアＣ２、Ｃ４がＵＥによって検出されない４つのキャリアのうちの２つである場合を示しており、当業者は、ここで開示された技法が、別個のコードワードに割り当てられた別の２つのキャリアがＵＥによって検出されない４つのキャリアのうちの２つである場合に容易に適用されうるということを理解するであろう。例えば、キャリアＣ２、Ｃ４が検出される場合には、図８の第１のコードワード８１０は、Ｃ１についてのＤＴＸ、Ｃ２についてのＡＣＫまたはＮＡＣＫをシグナリングするために代わりに選ばれ、第２のコードワード８２０は、Ｃ３についてのＤＴＸ、そしてＣ４についてのＡＣＫまたはＮＡＣＫをシグナリングするために選ばれうる。Ｃ２、Ｃ３のみが検出される、または、Ｃ１、Ｃ４のみが検出される場合に、同様な技法が適用されうる。このような例示的な実施形態は、本開示の範囲内にあることが予期される。
【００３５】
図９は、それぞれ、周波数ｆ１、ｆ２におけるＵＥによって検出された２つのキャリアＣ１、Ｃ２を図示する例示的な周波数スペクトラムを図示し、２つのダウンリンクキャリア、３つのダウンリンクキャリア、または４つのダウンリンクキャリアのいずれかがＵＥについてスケジュールされる。図９では、キャリアＣ１、Ｃ２は、アップリンク上でＵＥによってシグナリングされた１つのコードワードに割り当てられた２つのキャリアに対応する。図９は説明のためだけに図示されており、コードワードへのキャリア周波数のいずれの特定の割り付けに本開示の範囲を限定することを意味していないということに留意されたい。例えば、代替の例示的な実施形態（図示されず）では、１つのコードワードに割り付けられた２つのキャリアは周波数において連続している必要はない。例えば、例示的な実施形態では、（それぞれ、周波数ｆ１およびｆ３に割り当てられた）Ｃ１およびＣ３は、１つのコードワードを使用して符号化されうる、および／または、（それぞれ、周波数ｆ２およびｆ４に割り当てられた）Ｃ２およびＣ４は、１つのコードワードを使用して符号化されうる。
【００３６】
図１０Ａは、図９で図示される２つのダウンリンクキャリアのアクナレッジメントステータスをシグナリングするためにＵＥについてのスキームの第１の例示的な実施形態を図示する。図１０Ａでは、第１のコードワード１０１０Ａは、検出されたキャリアＣ１、Ｃ２についてのＡＣＫまたはＮＡＣＫをシグナリングする１０シンボルコードワードである。例示的な実施形態では、コードワード１０１０Ａは、ＤＣ−ＭＩＭＯのリリース９で指定された同じコードブックから選択されうる。スロットの第２の半分１０２０Ａの間に、キャリアＣ３、Ｃ４がＵＥによって検出されていないということに応じて、コードワードは送信されない。この場合、ノードＢは、Ｃ３，Ｃ４がＵＥによって検出されなかったということを、第２の半分１０２０Ａの間にＵＥ送信の欠如から解釈されうる。
【００３７】
図１０Ｂは、図９で図示される２つのダウンリンクキャリアのアクナレッジメントステータスをシグナリングするためにＵＥについてのスキームの第２の例示的な実施形態を図示する。図１０Ｂでは、１つの１０シンボルコードワード１０１０Ｂは、検出されたキャリアＣ１、Ｃ２についてのＡＣＫまたはＮＡＣＫをシグナリングするために拡散率２５６を使用して拡散される。第２の例示的な実施形態によれば、ＨＳ−ＤＰＣＣＨの拡散率は、ＵＥによって検出されたキャリアの数に依存して、１２８から２５６へとスロットごとのベースで変更されうる、また、逆も然りである。
【００３８】
この例示的な実施形態では、ノードＢは、ＵＥによるＣ１、Ｃ２の検出確率はＣ３、Ｃ４の検出確率と比べて十分高いので、ＵＥは、Ｃ３、Ｃ４ではなくＣ１、Ｃ２のみに対応するコードワードを送信することが期待される、ということを保証する。この場合、ノードＢは、スロットの間にＣ１、Ｃ２に対応する拡散率２５６の１つのコードワードのみを期待することを知るであろう。あるいは、Ｃ３、Ｃ４がスケジュールされるがデアクティベートされる場合には、ノードＢはまた、スロットの間にＣ１、Ｃ２についての１つのコードワードのみを期待することを知るであろう。
【００３９】
図１０Ｃは、図９で図示される２つのダウンリンクキャリアをアクナレッジするためにＵＥについてのスキームの第３の例示的な実施形態を図示する。図１０Ｃでは、検出されたキャリアＣ１、Ｃ２についてのＡＣＫまたはＮＡＣＫをシグナリングするために、１つの１０シンボルコードワード１０１０Ｃは、拡散率１２８を使用して拡散され、１０２０Ｃでスロット２１０の第２の半分の間に、２回(second time)繰り返される。
【００４０】
図１０Ｄは、第３の例示的な実施形態の代替シナリオを図示し、ＵＥは、１つのコードワードに割り当てられた２つのキャリアＣ１およびＣ３の受信をアクナレッジする。このシナリオは、例えばすべての４つのキャリアＣ１、Ｃ２、Ｃ３、Ｃ４がスケジュールされるがキャリアＣ２およびＣ４がデアクティベートされる、したがってＣ１およびＣ３が１つのコードワードに割り当てられるときに生じうる、ということに留意されたい。
【００４１】
当業者は、図１０Ｃおよび図１０Ｄで図示されるシグナリング技法は２つのキャリア（例、Ｃ１、Ｃ３またはＣ１、Ｃ４またはＣ２、Ｃ３またはＣ２、Ｃ４）がアクティブであるときにはいつでも適用しうるということを理解するであろう。さらに、それらはまた、例えば４つのキャリアがアクティブで２つのみが検出されるときにはいつでも、適用しうる。
【００４２】
図１０Ｅは、図９で図示される２つのダウンリンクキャリアをアクナレッジするためにＵＥについてのスキームの第４の例示的な実施形態を図示する。図１０Ｅでは、スロットの第１の半分で、１つの１０シンボルコードワード１０１０Ｅは、拡散率１２８を使用して拡散され、検出されたキャリアＣ１、Ｃ２についてのＡＣＫまたはＮＡＣＫをシグナリングする。スロットの第２の半分で、１０シンボルＤＴＸ−ＤＴＸコードワード１０２０Ｅは、キャリアＣ３、Ｃ４がＵＥによって検出されなかったということをシグナリングするために提供される。例示的な実施形態では、ＤＣ−ＭＩＭＯのリリース９で提供されるコードブックは、このような追加ＤＴＸ−ＤＴＸコードワードを含むように変更されうる。
【００４３】
図１０Ｅは、キャリアＣ３、Ｃ４がＵＥによって検出されない４つのキャリアのうちの２つのキャリアである場合について図示されており、当業者は、ここにおいて開示された技法は、２つの検出されていないキャリアが同じコードワードに割り当てられるといういずれの場合にも容易に適用されうるということを理解するであろう。例えば、代わりにキャリアＣ３，Ｃ４が検出され、Ｃ１、Ｃ２が検出されない場合には、ＤＴＸ−ＤＴＸコードワードが、図１０Ｅのスロットの第１の半分で提供され、Ｃ３、Ｃ４についてのＡＣＫまたはＮＡＣＫをシグナリングする第２のコードワードがスロットの第２の半分で提供されうる。このような代替の例示的な実施形態は、本開示の範囲内にあることが予期される。
【００４４】
本開示の技法はダウンリンク上で送信された非ＭＩＭＯキャリアおよびＭＩＭＯキャリアの双方についてのＡＣＫまたはＮＡＣＫをシグナリングするように容易に適用されうる、ということが理解されるであろう。具体的には、ここで説明された技法はＭＩＭＯキャリアを使用して下記のスキームのうちいずれかまたはすべてを適用するように容易に変更されうるということが理解されるであろう。
【００４５】
１）４ＭＩＭＯＤＬキャリアが構成され、任意のキャリアのサブセット(any subset of the carriers)がスケジュールされる。
【００４６】
２）３ＭＩＭＯＤＬキャリアおよび１非ＭＩＭＯキャリアが構成され、任意のキャリアのサブセットがスケジュールされる。
【００４７】
３）２ＭＩＭＯＤＬキャリアおよび２非ＭＩＭＯキャリアが構成され、任意のキャリアのサブセットがスケジュールされる。
【００４８】
４）１ＭＩＭＯおよび３非ＭＩＭＯキャリアが構成され、任意のキャリアのサブセットがスケジュールされる。
【００４９】
５）０、１、２、または３キャリア上のＭＩＭＯ（および残りのキャリア上の非ＭＩＭＯ）で３ＤＬキャリアが構成され、任意のキャリアのサブセットがスケジュールされる。
【００５０】
このような１つまたは複数のＭＩＭＯキャリアを適合する代替の例示的な実施形態は、本開示の範囲内にあると予期される。
【００５１】
図１１Ａは、本開示による簡略化された装置１１００Ａの例示的な実施形態を図示する。装置１１００Ａは、説明する目的のためだけに示されており、本開示の範囲を制限することを意味していない、ということは理解されるであろう。当業者は、代替の例示的な実施形態が図１１Ａで図示されるモジュールのうちいずれかを省略または組み合わせうる、また、このような代替の例示的な実施形態は本開示の範囲内にあるように予期されるということを理解するであろう。
【００５２】
図１１Ａでは、送信／受信アンテナ１１１０Ａは、ＲＸモジュール１１２０ＡとＴＸモジュール１１５０Ａに結合される。ＲＸモジュール１１２０Ａは、ＨＳＤＰＡまたはＭＩＭＯシステムの１つまたは複数のキャリアに対応する信号を受信する。受信信号は、キャリア検出モジュール１１３０Ａに提供され、そしてそれは、受信信号に存在するキャリアを検出するように構成される。キャリア検出モジュール１１３０Ａの出力は、キャリア受信モジュール１１３５Ａに提供され、そしてそれは、１つまたは複数の検出されたキャリアからデータを復号する。キャリア検出モジュール１１３０Ａとキャリア受信モジュール１１３５Ａの出力は、ＡＣＫ／ＮＡＣＫ／ＤＴＸ（またはアクナレッジメントステータス）符号器１１４０Ａに提供される。ＡＣＫ／ＮＡＣＫ／ＤＴＸ符号器１１４０Ａは、キャリア受信モジュール１１３５Ａとキャリア検出モジュール１１３０Ａの出力に応じて、キャリアについてのアクナレッジメントステータス、例、ＡＣＫ、ＮＡＣＫ、またはＤＴＸを符号化するように構成される。例示的な実施形態では、ＡＣＫ／ＮＡＣＫ／ＤＴＸ符号器１１４０Ａは、ＨＳ−ＤＰＣＣＨを使用して送信されるべきコードワードを生成するために本開示の技法を適用しうる。符号器１１４０Ａの出力はＴＸモジュール１１５０Ａに提供され、符号化された信号を送信するためにスロットフォーマット（拡散率を含む）を選ぶように構成されうる。装置１１００Ａは、例えば、ＨＳＤＰＡシステムのＵＥでありうる、ということが理解されるであろう。
【００５３】
図１１Ｂは、本開示による装置１１００Ｂの代替の例示的な実施形態を図示する。図１１Ｂでは、受信アンテナ１１１０Ｂは、受信モジュール１１２０Ｂに結合される。受信モジュール１１２０Ｂは、ＨＳ−ＤＰＣＣＨスロットの第１の半分の間に第１キャリアおよび第２キャリアについてのコードワードシグナリングアクナレッジメントステータスを受信するように構成されうる。受信モジュール１１２０Ｂは、復号モジュール１１３０Ｂにさらに結合される。復号モジュール１１３０Ｂは、キャリアについての受信されたコードワードシグナリングアクナレッジメントステータスを復号するように構成されうる。復号モジュール１１３０Ｂは、どのキャリアがスケジュールされ、アクティベートまたはデアクティベートされるかを復号モジュール１１３０Ｂが知るようにスケジューラ１１４０Ｂから入力を受信するので、適切なコードワードが復号のためにコードブックから選択されうる。装置１１００Ｂは、例えばノードＢでありうる、ということは理解されるであろう。
【００５４】
図１２Ａは、本開示による方法１２００Ａの例示的な実施形態を図示する。方法１２００Ａは説明のためだけに示されているということ、そして、代替の例示的な実施形態では、本開示の原理にしたがって、図示されているブロックのうちのいくつかが省略され、他のブロックが提供されうるということが理解されるであろう。
【００５５】
ブロック１２１０Ａで、第１キャリアおよび第２キャリアについてのアクナレッジメントステータスは、ＨＳ−ＤＰＣＣＨスロットの第１の半分の間に送信される。
【００５６】
ブロック１２２０Ａで、ＨＳ−ＤＰＣＣＨスロットは拡散率１２８を使用して拡散される。
【００５７】
ブロック１２３０Ａで、第３キャリアおよび第４キャリアについてのアクナレッジメントステータスは、ＨＳ−ＤＰＣＣＨスロットの第２の半分の間に送信される。
【００５８】
図１２Ｂは、本開示による方法１２００Ｂの代替の例示的な実施形態を図示する。
【００５９】
ブロック１２１０Ｂで、第１キャリアおよび第２キャリアについてのアクナレッジメントステータスは、ＨＳ−ＤＰＣＣＨスロットの第１の半分の間に送信される。
【００６０】
ブロック１２２０Ｂでは、ＨＳ−ＤＰＣＣＨスロットは拡散率１２８を使用して拡散される。
【００６１】
ブロック１２３０Ｂで、第１キャリアおよび第２キャリアについてのアクナレッジメントステータスを送信することは、ＨＳ−ＤＰＣＣＨスロットの第２の半分の間に繰り返される。
【００６２】
図１３Ａ−図１３Ｄを参照して、本開示の原理が適用されうるＵＭＴＳにしたがって動作する例示的な無線ネットワークがここにおいてさらに説明される。図１３Ａ−図１３Ｄは背景を説明するためだけに示されており、ＵＭＴＳにしたがって動作する無線ネットワークへの本開示の範囲を限定することを意味していないということに留意されたい。
【００６３】
図１３Ａは、無線ネットワークの例を図示する。図１３Ａでは、ノードＢ１１０、１１１、１１４および無線ネットワークコントローラ１４１−１４４は、「無線ネットワーク」、「ＲＮ」、「アクセスネットワーク」、または「ＡＮ」と呼ばれるネットワークの一部である。無線ネットワークは、ＵＭＴＳ地上無線アクセスネットワーク（ＵＴＲＡＮ）でありうる。ＵＭＴＳ地上無線アクセスネットワーク（ＵＴＲＡＮ）は、それが含む、ノードＢ（または基地局）およびノードＢの制御機器（または無線ネットワークコントローラ（ＲＮＣ））の総称であり、ＵＭＴＳ無線アクセスネットワークを構成している。これは、リアルタイム回路交換およびＩＰベースのパケット交換のトラヒックタイプの両方を搬送することができる３Ｇ通信ネットワークである。ＵＴＲＡＮは、ユーザ機器（ＵＥ）１２３−１２７のための無線インタフェースアクセス方法を提供する。ＵＴＲＡＮにより、ＵＥとコアネットワークとの間で接続が提供される。無線ネットワークは、複数のユーザ機器デバイス１２３−１２７間でデータパケットを移送しうる。
【００６４】
ＵＴＲＡＮは、４つのインタフェース、Ｉｕ，Ｕｕ，ＩｕｂおよびＩｕｒによって他の機能エンティティに内部または外部で接続される。ＵＴＲＡＮは、Ｉｕと呼ばれる外部インタフェースを介してＧＳＭ（登録商標）コアネットワーク１２１にアタッチされる。無線ネットワークコントローラ（ＲＮＣ）１４１−１４４（図１３Ｂで図示される）はこのインタフェースをサポートし、それらのうちの１４１、１４２は図１３Ａで図示される。さらに、ＲＮＣは、Ｉｕｂとラベルされたインタフェースを通じてノードＢと呼ばれる１セットの基地局を管理する。Ｉｕｒインタフェースは、互いに２つのＲＮＣ１４１、１４２を接続する。ＵＴＲＡＮは、ＲＮＣ１４１−１４４がＩｕｒインタフェースによって相互接続されるので、コアネットワーク１２１から大部分は自立している。図１３Ａは、ＲＮＣ、ノードＢ、およびＩｕおよびＵｕインタフェースを使用する通信システムを開示する。Ｕｕはまた外部にあり、ＵＥとノードＢを接続し、Ｉｕｂは、ノードＢでＲＮＣを接続する内部インタフェースである。
【００６５】
無線ネットワークは、企業イントラネット、インターネット、または上述されているような従来の公衆交換電話網のような無線ネットワーク外の追加ネットワークにさらに接続され、各ユーザ機器デバイス１２３−１２７とこのような外部ネットワークとの間でデータパケットを移送しうる。
【００６６】
図１３Ｂは、通信ネットワーク１００Ｂの選択されたコンポーネントを図示し、そしてそれは、ノードＢ（または基地局または無線ベーストランシーバ局）１１０、１１１、および１１４に結合された無線ネットワークコントローラ（ＲＮＣ）（または基地局コントローラ（ＢＳＣ））１４１−１４４を含む。ノードＢ１１０、１１１、１１４は、対応する無線接続１５５、１６７、１８２、１９２、１９３、１９４を通じてユーザ機器（または遠隔局）１２３−１２７と通信する。ＲＮＣ１４１−１４４は、１つまたは複数のノードＢの制御機能を提供する。無線ネットワークコントローラ１４１−１４４は、モバイル交換センタ（ＭＳＣ）１５１、１５２を通じて公衆交換電話網（ＰＳＴＮ）に結合される。別の例では、無線ネットワークコントローラ１４１−１４４は、パケットデータサーバノード（「ＰＤＳＮ」）（図示されず）を通じてパケット交換ネットワーク（ＰＳＮ）（図示されず）に結合される。無線ネットワークコントローラ１４１−１４４とパケットデータサーバノードのような様々なネットワークエレメント間のデータ交換は、例えば、インターネットプロトコル（「ＩＰ」）、非同期移送モード（「ＡＴＭ］）プロトコル、Ｔ１、Ｅ１、フレームリレー、および他のプロトコルのような任意の数のプロトコルを使用して実装されることができる。
【００６７】
ＲＮＣは、複数の役割を果たす。第１に、ノードＢを使用しようとする新規のモバイルまたはサービスのアドミッションを制御しうる。第２に、ノードＢまたは基地局の観点から、ＲＮＣは、制御ＲＮＣである。アドミッションを制御することは、ネットワークが利用可能とする最大無線リソース（帯域幅および信号／雑音比）をモバイルが割り付けられるということを確実にする。それは、ノードＢのＩｕｂが終了する場合である。ＵＥまたはモバイルの観点から、ＲＮＣは、それがモバイルのリンク層の通信を終了するサービングＲＮＣとして機能する。コアネットワークの観点から、サービングＲＮＣは、ＵＥについてのＩｕを終了する。サービングＲＮＣはまた、そのＩｕインタフェース上でコアネットワークを使用しようとする新規モバイルまたはサービスを制御する。
【００６８】
無線インタフェースの場合、ＵＭＴＳは、広帯域符号分割多元接続（またはＷ−ＣＤＭＡ）として知られている広帯域拡散スペクトラムモバイル無線インタフェースを最も一般的に使用する。Ｗ−ＣＤＭＡは、ユーザを分けるために、直接シーケンス符号分割多元接続シグナリング方法（またはＣＤＭＡ）を使用する。Ｗ−ＣＤＭＡ（広帯域符号分割多元接続）は、モバイル通信の第３世代標準規格である。Ｗ−ＣＤＭＡは、ＧＳＭ（モバイル通信のためのグローバルシステム）／ＧＰＲＳの第２世代の規格から発展し、制限されたデータ機能を有する音声通信に適応されられる。Ｗ−ＣＤＭＡの第１の商業展開は、Ｗ−ＣＤＭＡリリース９９と呼ばれる規格のバージョンに基づいている。
【００６９】
リリース９９仕様は、アップリンクパケットデータを可能にする２つの技法を定義する。より一般的には、データ送信は、専用チャネル（ＤＣＨ）またはランダムアクセスチャネル（ＲＡＣＨ）のいずれかを使用してサポートされる。しかしながら、ＤＣＨは、パケットデータサービスのサポートのためのプライマリチャネルである。各遠隔局１２３−１２７は、直交変数拡散率（ＯＶＳＦ）符号を使用する。ＯＶＳＦ符号は、当業者によって理解されるように、個々の通信チャネルを固有に識別することを容易にする直交符号である。さらに、ミクロダイバーシティは、ソフトハンドオーバを使用してサポートされ、閉ループ電力制御は、ＤＣＨを用いて利用される。
【００７０】
疑似雑音（ＰＮ）シーケンスは、送信されたパイロット信号を含む、送信されたデータを拡散するためにＣＤＭＡシステムで一般的に使用される。ＰＮシーケンスの１つの値を送信するのに必要とされる時間はチップとして知られ、チップが変動するレートはチップレートとして知られる。ダイレクトシーケンスＣＤＭＡシステムの設計では、ノードＢ１１０、１１１、１１４のものにそのＰＮシーケンスを受信機がアラインする要件は固有である。Ｗ−ＣＤＭＡ標準規格によって規定されたもののようないくつかのシステムは、プライマリスクランブリングコードとして知られている、各々についての固有ＰＮコードを使用して基地局１１０、１１１、１１４を区別する。Ｗ−ＣＤＭＡ標準規格は、ダウンリンクをスクランブルするために、２つのゴールドコードシーケンス、すなわち同相コンポーネント（Ｉ）のためのものそして直角位相（Ｑ）のためのものを規定する。ＩおよびＱのＰＮシーケンスはともに、データ変調なしにセル全体にわたってブロードキャストされる。このブロードキャストは、共通のパイロットチャネル（ＣＰＩＣＨ）と呼ばれる。生成されるＰＮシーケンスは、３８，４００チップの長さにトランケートされる。３８，４００チップの期間は、無線フレームと呼ばれる。各無線フレームは、スロットと呼ばれる１５の均等なセクションに分割される。Ｗ−ＣＤＭＡノードＢ１１０、１１１、１１４は、互いに関して非同期に動作するので、１つの基地局１１０、１１１、１１４のフレームタイミングの情報(knowledge)は、いずれの他のノードＢ１１０、１１１、１１４のフレームタイミングの情報(knowledge)へと変換しない。この情報(knowledge)を獲得するために、Ｗ−ＣＤＭＡシステムは同期チャネルおよびセルサーチ技法を使用する。
【００７１】
３ＧＰＰリリース５および以降のリリースは、高速ダウンリンクパケットアクセス（ＨＳＤＰＡ）をサポートする。３ＧＰＰリリース６および以降のリリースは、高速アップリンクパケットアクセス（ＨＳＵＰＡ）をサポートする。ＨＳＤＰＡおよびＨＳＵＰＡは、それぞれ、ダウンリンクおよびアップリンク上で高速パケットデータ送信を可能にする１セットのチャネルおよびプロシージャである。リリース７  ＨＳＰＡ＋は、データレートを改善するために３つのエンハンスメントを使用する。最初に、ダウンリンク上で２×２ＭＩＭＯのサポートを導入する。ＭＩＭＯにより、ダウンリンク上でサポートされるピークデータレートは、２８Ｍｂｐｓである。第２に、より高次の変調がダウンリンク上で導入される。ダウンリンク上で６４ＱＡＭを使用することは、ピークデータレート２１Ｍｂｐｓを許容する。第３に、より高次の変調がアップリンク上で導入される。アップリンク上で１６ＱＡＭを使用することは、ピークデータレート１１Ｍｂｐｓを許容する。
【００７２】
ＨＳＵＰＡでは、ノードＢ１１０、１１１、１１４は、いくつかのユーザ機器デバイス１２３−１２７が同時にある電力レベルで送信することを可能にする。これらのグラントは、短期ベース（数十ｍｓごとに）でリソースを割り付ける早いスケジューリングアルゴリズムを使用することによってユーザに割り当てられる。ＨＳＵＰＡの高速スケジューリングは、パケットデータのバースト性質によく適している。高活性期間の間には、ユーザは、利用可能なリソースの割合の多くを取得することができ、低活性期間の間には、帯域幅をほとんど得ないまたは帯域幅を取得しない。
【００７３】
３ＧＰＰリリース５  ＨＳＤＰＡでは、アクセスネットワークのベーストランシーバ局１１０、１１１、１１４は、高速ダウンリンク共有チャネル（ＨＳ−ＤＳＣＨ）上でユーザ機器デバイス１２３−１２７へダウンリンクペイロードデータと、高速共有制御チャネル（ＨＳ−ＳＣＣＨ）上でダウンリンクデータと関連づけられた制御情報と、を送信する。データ送信に使用される２５６直交変数拡散率（ＯＶＳＦまたはウォルシュ）符号がある。ＨＳＤＰＡシステムでは、これらの符号は、セルラ電話（音声）に一般的に使用されるリリース１９９９（レガシシステム）符号、そして、データサービスに使用されるＨＳＤＰＡ符号へと分割される。各送信時間インターバル（ＴＴＩ）について、ＨＳＤＰＡ対応ユーザ機器デバイス１２３−１２７へ送信された専用制御情報は、デバイスへダウンリンクペイロードデータを送信するためにコードスペース内のどのコードが使用されるか、また、ダウンリンクペイロードデータの送信に使用される変調をデバイスに示す。
【００７４】
ＨＳＤＰＡオペレーションを用いて、ユーザ機器デバイス１２３−１２７へのダウンリンク送信は、１５の利用可能なＨＳＤＰＡ  ＯＶＳＦ符号を使用して異なる送信時間インターバルについてスケジュールされうる。所与のＴＴＩについて、各ユーザ機器１２３−１２７は、ＴＴＩの間にデバイスに割り付けられたダウンリンク帯域幅に依存して、１５ＨＳＤＰＡ符号のうち１つまたは複数を使用する。すでに述べられているように、各ＴＴＩについて、制御情報は、デバイスへダウンリンクペイロードデータ（無線ネットワークの制御データ以外のデータ）を送信するためにコードスペース内のどのコードが使用されるか、また、ダウンリンクペイロードデータの送信に使用される変調をユーザ機器デバイス１２３−１２７に示す。
【００７５】
ＭＩＭＯシステムでは、送信アンテナと受信アンテナからのＮ（送信機アンテナの数）×Ｍ（受信機アンテナの数）の信号パスがあり、これらのパス上の信号は同一ではない。ＭＩＭＯは、複数のデータ送信パイプを作成する。パイプは、空間−時間領域において直交する。パイプの数は、システムのランクと等しい。これらのパイプが空間−時間領域において直交しているので、それらは、互いに少しの干渉を生成する。データパイプは、Ｎ×Ｍパス上で信号を適切に組み合わせることによって適切なデジタル信号処理で実現される。送信パイプは、アンテナ送信チェインまたはいずれか一つの特定の送信パスに対応しないということに留意されたい。
【００７６】
通信システムは、シングルキャリア周波数またはマルチプルキャリア周波数を使用しうる。各リンクは、異なる数のキャリア周波数を組み込みうる。さらに、アクセス端末１２３−１２７は、例えば光ファイバーあるいは同軸ケーブルを使用して、無線チャネルを通じて、または、有線チャネルを通じて、通信するいずれのデータデバイスでありうる。アクセス端末１２３−１２７は、限定されないがＰＣカード、コンパクトフラッシュ、外部または内部モデム、または無線または有線の電話を含む多数のタイプのデバイスのうちのいずれかでありうる。アクセス端末１２３−１２７は、ユーザ機器（ＵＥ）、遠隔局、移動局または加入者局としても知られている。また、ＵＥ１２３−１２７は、移動式または固定式でありうる。
【００７７】
１つまたは複数のノードＢ１１０、１１１、１１４とのアクティブトラヒックチャネル接続を確立したユーザ機器１２３−１２７は、アクティブユーザ機器１２３−１２７と呼ばれ、トラヒック状態にあると言われている。１つまたは複数のノードＢ１１０、１１１、１１４とのアクティブなトラヒックチャネル接続を確立するプロセスにあるユーザ機器１２３−１２７は、接続セットアップ状態にあるといわれる。ユーザ機器１２３−１２７は、例えば光ファイバーあるいは同軸ケーブルを使用して、無線チャネルを通じて、または、有線チャネルを通じて、通信するいずれのデータデバイスでありうる。ユーザ機器１２３−１２７がノードＢ１１０、１１１、１１４に信号を送信する通信リンクは、アップリンクと呼ばれる。ＮｏｄｅＢ１１０、１１１、１１４がユーザ機器１２３−１２７へ信号を送信する通信リンクは、ダウンリンクと呼ばれる。
【００７８】
図１３Ｃは、下記で詳述され、具体的には、ノードＢ１１０、１１１、１１４および無線ネットワークコントローラ１４１−１４４は、パケットネットワークインタフェース１４６とインタフェース接続する（図１３Ｃでは、簡略のため１つのノードＢ１１０、１１１、１１４のみが図示されている）。ノードＢ１１０、１１１、１１４および無線ネットワークコントローラ１４１−１４４は、無線ネットワークサーバ（ＲＮＳ）６６の一部分であり、図１３Ａおよび図１３Ｃでは、１つまたは複数のノードＢ１１０、１１１、１１４、および無線ネットワークコントローラ１４１−１４４を破線で囲まれて示されている。送信されるべきデータの関連付けられた量は、ノードＢ１１０、１１１、１１４におけるデータキュー１７２から取り出され、データキュー１７２と関連づけられたユーザ機器１２３−１２７（図７Ｃでは図示されず）への送信のためにチャネルエレメント１６８に提供される。
【００７９】
無線ネットワークコントローラ１４１−１４４は、モバイル交換センタ１５１、１５２を通じて公衆交換電話網（ＰＳＴＮ）とインタフェース接続する。また、無線ネットワークコントローラ１４１−１４４は、通信システム１００ＢにおいてノードＢ１１０、１１１、１１４とインタフェース接続する。さらに、無線ネットワークコントローラ１４１−１４４は、パケットネットワークインタフェース１４６とインタフェース接続する。無線ネットワークコントローラ１４１−１４４は、通信システムにおけるユーザ機器１２３−１２７と、パケットネットワークインタフェース１４６およびＰＳＴＮ１４８に接続された他のユーザとの間の通信を調整する。ＰＳＴＮ１４８は、スタンダードな電話ネットワークを通じてユーザとインタフェース接続する（図１３Ｃで図示されず）。
【００８０】
無線ネットワークコントローラ１４１−１４４は、簡略のため、図１３Ｃでは１つのセレクタエレメントのみ図示されているが、多くのセレクタエレメント１３６を含む。各セクタエレメント１３６は、１つまたは複数のノードＢの１１０、１１１、１１４および１つの遠隔局１２３−１２７（図示されず）の間で通信を制御するように割り当てられる。セクタエレメント１３６が所与のユーザ機器１２３−１２７に割り当てられなかった場合、呼出制御プロセッサ１４０は、ユーザ機器１２３−１２７をページングする必要性を知らされる。呼び出し制御プロセッサ１４０は、ノードＢ１１０、１１１、１１４に、ユーザ機器１２３−１２７をページングするように命令する。
【００８１】
データソース１２２は、多量のデータを含み、そしてそれは、所与のユーザ機器１２３−１２７へ送信されることとなっている。データソース１２２は、パケットネットワークインタフェース１４６にデータを提供する。パケットネットワークインタフェース１４６は、データを受信し、セレクタエレメント１３６へデータをルートする。セレクタエレメント１３６は、そのあとで、ターゲットユーザ機器１２３−１２７と通信するノードＢ１１０、１１１、１１４へデータを送信する。例示的な実施形態では、各ノードＢ１１０、１１１、１１４は、データキューを維持し、そしてそれは、ユーザ機器１２３−１２７へ送信されるべきデータを格納する。
【００８２】
各データパケットの場合、チャネルエレメント１６８は、必要な制御フィールドをインサートする。例示的な実施形態では、チャネルエレメント１６８は、サイクリック冗長度チェック、ＣＲＣ、データパケットおよび制御フィールドの符号化、を実行し、１セットのコードテイルビットをインサートする。データパケット、制御フィールド、ＣＲＣパリティビット、およびコードテイルビットは、フォーマットされたパケットを備える。例示的な実施形態では、チャネルエレメント１６８は、フォーマットされたパケットを符号化し、符号化されたパケット内のシンボルをインタリーブする（または並びかえる）。例示的な実施形態では、インタリーブされたパケットは、ウォルシュ符号でカバーされ、短いＰＮＩおよびＰＮＱ符号で拡散される。拡散データは、信号を直交変調し、フィルタし、そして増幅するＲＦユニット１７０に提供される。ダウンリンク信号は、ダウンリンクへアンテナを通じて無線で送信される。
【００８３】
ユーザ機器１２３−１２７で、ダウンリンク信号は、アンテナによって受信され、受信機へルートされる。受信機は、信号をフィルタし、増幅し、直交復調し、そして量子化する。デジタル化された信号は、それが短いＰＮＩおよびＰＮＱ符号で逆拡散され、ウォルシュカバーでデカバーされる復調器に提供される。復調されたデータは、ノードＢ１１０、１１１、１１４で行なわれる信号処理関数の逆、具体的には、デインタリーブ、復号、およびＣＲＣチェック関数を実行する、復号器に提供される。復号されたデータは、データシンクに提供される。
【００８４】
図１３Ｄは、ユーザ機器（ＵＥ）１２３−１２７の実施形態を図示し、そこでは、ＵＥ１２３−１２７は、送信回路１６４（ＰＡ１０８を含む）、受信回路１０９、電力制御器１０７、復号プロセッサ１５８、処理ユニット１０３、およびメモリ１１６を含む。
【００８５】
処理ユニット１０３は、ＵＥ１２３−１２７のオペレーションを制御する。処理ユニット１０３はまた、ＣＰＵと呼ばれうる。読み出し専用メモリ（ＲＯＭ）とランダムアクセスメモリ（ＲＡＭ）の両方を含めうるメモリ１１６は、処理ユニット１０３に対し命令およびデータを提供する。メモリ１１６の一部分はまた、不揮発性ランダムアクセスメモリ（ＮＶＲＡＭ）を含めうる。
【００８６】
セルラ電話のような無線通信デバイスにおいて具現化されうるＵＥ１２３−１２７はまた、送信回路１６４および受信回路１０９を含むハウジングを含み、ＵＥ１２３−１２７と遠隔ロケーションとの間の音声通信のようなデータの送信および受信を可能にする。送信回路１６４および受信回路１０９は、アンテナ１１８に結合されうる。
【００８７】
ＵＥ１２３−１２７の様々なコンポーネントは、バスシステム１３０によって一緒に結合されうる、そしてそれは、パワーバス、ステータスシグナルバス、さらにデータバス等を含めうる。しかしながら、簡潔にするため、様々なバスは、図１０Ｅではバスシステム１３０と図示されている。ＵＥ１２３−１２７はまた、信号処理することに使用するための処理ユニット１０３を含めうる。さらに、電力制御器１０７、復号プロセッサ１５８、および電力増幅器１０８も図示されている。
【００８８】
説明される方法のステップはまた、図１０Ｃで図示されるようにノードＢ１１０、１１１、１１４内のメモリ１６１において配置されたソフトウェアまたはファームウェア４３の形で命令として格納されうる。これらの命令は、図１０ＣではノードＢ１１０、１１１、１１４の制御ユニット１６２によって実行されうる。代替的に、または、併用して、説明される方法のステップは、ＵＥ１２３−１２７内のメモリ１１６において配置されるソフトウェアまたはファームウェア４２の形で命令として格納されうる。これらの命令は、図１０ＥのＵＥ１２３−１２７の処理ユニット１０３によって実行されうる。
【００８９】
当業者は、情報と信号は、さまざまな異なる技術および技法のうちのいずれかを使用して、あらわされうるということを理解するであろう。例えば、上記の説明の全体にわたって参照されうる、データ、命令、コマンド、情報、信号、ビット、シンボル、およびチップは、電圧、電流、電磁波、磁場または磁粒子、光場あるいは光学粒子、あるいはそれらのいずれの組み合わせ、によって表わされうる。
【００９０】
当業者は、ここで開示される実施形態に関連して説明されるさまざまな説明のための論理ブロック、モジュール、回路、およびアルゴリズムのステップは、電子ハードウェア、コンピュータソフトウェア、または両方の組み合わせとして実装されうるということをさらに理解するであろう。ハードウェアとソフトウェアのこの互換性を明瞭に説明するために、様々な説明のためのコンポーネント、ブロック、モジュール、回路およびステップが、一般に、それらの機能という点から、上述されてきた。そのような機能が、ハードウェアあるいはソフトウェアとして実装されるかは、特定のアプリケーションと全体のシステムに課された設計制約に依存する。当業者は、各特定のアプリケーションについて、様々な方法で、説明された機能を実装しうるが、そのような実装の決定は、本発明の例示的な実施形態の範囲から逸脱を生じさせるものとして解釈されるべきでない。
【００９１】
ここで開示された実施形態に関連して説明された様々な説明のための、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理デバイス、ディスクリートゲートあるいはトランジスタロジック、ディスクリートハードウェアコンポーネント、あるいは、ここに説明された機能を実行するように設計されたそれらのいずれの組み合わせ、で実装または実行されうる。汎用プロセッサは、マイクロプロセッサであってもよいが、代替として、プロセッサは、任意の従来のプロセッサ、コントローラ、マイクロコントローラ、あるいはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されうる。
【００９２】
ここで開示された実施形態に関連して説明された方法またはアルゴリズムのステップは、直接ハードウェアにおいて、プロセッサによって実行されるソフトウェアモジュールにおいて、または、それらの２つの組み合わせにおいて、具現化されうる。ソフトウェアモジュールは、ランダムアクセスメモリ（ＲＡＭ）メモリ、フラッシュメモリ、読み取り専用メモリ（ＲＯＭ）、電子的にプログラム可能なＲＯＭ（ＥＰＲＯＭ）、電子的に消去可能なプログラマブルＲＯＭ（ＥＥＰＲＯＭ）、レジスタ、ハードディスク、リムーバブルディスク、ＣＤ−ＲＯＭあるいは当技術分野において知られている記憶媒体のいずれの他の形態、において存在しうる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されうる。プロセッサと記憶媒体は、ＡＳＩＣにおいて存在しうる。ＡＳＩＣは、ユーザ端末に存在することができる。あるいは、プロセッサと記憶媒体は、ユーザ端末において、ディスクリートコンポーネントとして存在しうる。
【００９３】
１つまたは複数の例示的な実施形態では、説明された機能は、ハードウェア、ソフトウェア、ファームウェアあるいはそれらのいずれかの組み合わせにおいて実装されうる。ソフトウェアで実装される場合には、機能は、コンピュータ可読媒体上で、１つまたは複数の命令あるいはコードとして、記憶または送信されうる。コンピュータ可読媒体は、１つの場所から別の場所へのコンピュータプログラムの移送(transfer)を容易にするいずれの媒体も含んでいる、コンピュータ記憶媒体(computer storage media)と通信媒体(communication media)の両方を含む。記憶媒体は、コンピュータによってアクセスされることができる、いずれの利用可能な媒体であることができる。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形態で所望のプログラムコードを保存あるいは搬送するために使用されることができる、また、コンピュータによってアクセスされることができる、任意の他の媒体も備えることができる。また、いずれの接続もコンピュータ可読媒体(computer-readable medium)と適切に名付けられる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれる。ここで使用されるように、ディスク(disk)とディスク(disc)は、コンパクトディスク（ＣＤ）、レーザーディスク（登録商標）、光学ディスク、デジタル汎用ディスク（ＤＶＤ）、フロッピー(登録商標)ディスク(disk)およびブルーレイディスクを含んでおり、「ディスク(disks)」は、大抵、データを磁気的に再生し、「ディスク(discs)」は、レーザーで光学的に再生する。上記のものの組み合わせも、コンピュータ可読媒体の範囲内に含まれるべきである。
【００９４】
開示された例示的な実施形態の前述の説明は、当業者が本発明を行うまたは使用することを可能にするために提供される。これらの例示的な実施形態に対する様々な修正は、当業者にとっては容易に明らかであろう、そして、ここにおいて定義された包括的な原理は、本発明の精神あるいは範囲から逸脱することなく、他の実施形態に適用されうる。したがって、本発明は、ここに示された実施形態に限定されるようには意図されておらず、ここに開示された原理および新規な特徴に整合する最も広い範囲が与えられるべきである。
以下に本願出願当初の特許請求の範囲を付記する。
[Ｃ１]  ＨＳ−ＤＰＣＣＨスロットの第１の半分の間に第１キャリアおよび第２キャリアについてのアクナレッジメントステータスを送信すること、
を備える方法。
[Ｃ２]  前記ＨＳ−ＤＰＣＣＨスロットの第２の半分の間に第３キャリアおよび第４キャリアについてのアクナレッジメントステータスを送信すること、
をさらに備えるＣ１に記載の方法。
[Ｃ３]  前記第１の半分は、時間において、前記第２の半分に先行する、Ｃ２に記載の方法。
[Ｃ４]  拡散率１２８を使用して前記ＨＳ−ＤＰＣＣＨを拡散すること、をさらに備えるＣ１に記載の方法。
[Ｃ５]  第１キャリアおよび第２キャリアについてのアクナレッジメントステータスを送信することは、Ｗ−ＣＤＭＡ標準規格のリリース９で指定されたＤＣ−ＨＳＤＰＡコードブックから選択されたコードワードを送信することを備える、Ｃ４に記載の方法。
[Ｃ６]  第１キャリアおよび第２キャリアについてのアクナレッジメントステータスを送信することは、Ｗ−ＣＤＭＡ標準規格のリリース９で指定されたＤＣ−ＭＩＭＯコードブックから選択されたコードワードを送信することを備える、Ｃ４に記載の方法。
[Ｃ７]  前記第１キャリアおよび第２キャリアは、それぞれ、第１論理キャリアおよび第２論理キャリアに対応し、前記ＵＥは、少なくとも３つのキャリアを受信するように構成される、Ｃ６に記載の方法。
[Ｃ８]  前記第１キャリアおよび第２キャリアは、それぞれ、第１論理キャリアおよび第３論理キャリアに対応し、前記ＵＥは、少なくとも３つのキャリアを受信するように構成され、前記第２論理キャリアはデアクティベートされる、Ｃ６に記載の方法。
[Ｃ９]  第１キャリアおよび第２キャリアについてのアクナレッジメントステータスを送信することは、Ｗ−ＣＤＭＡ標準規格のリリース９で指定されたＤＣ−ＨＳＤＰＡから得られたコードブックから選択されたコードワードを送信することを備え、前記コードブックは、ＤＴＸ−ＤＴＸコードワードを含むようにさらに増加される、Ｃ４に記載の方法。
[Ｃ１０]  第１キャリアおよび第２キャリアについてのアクナレッジメントステータスを送信することは、Ｗ−ＣＤＭＡ標準規格のリリース９で指定されたＤＣ−ＭＩＭＯコードブックから得られたコードブックから選択されたコードワードを送信することを備え、前記コードブックは、ＤＴＸ−ＤＴＸコードワードを含むようにさらに増加される、Ｃ４に記載の方法。
[Ｃ１１]  前記ＨＳ−ＤＰＣＣＨチャネルの前記スロットの第２の半分の間に第３キャリアについてのアクナレッジメントステータスを送信すること、
をさらに備えるＣ１に記載の方法。
[Ｃ１２]  前記第３キャリアについてのアクナレッジメントステータスを送信することは、Ｗ−ＣＤＭＡ規格で指定されたシングルキャリアコードブックから選択されたコードワードを送信することを備える、Ｃ１１に記載の方法。
[Ｃ１３]  前記第３キャリアについてのアクナレッジメントステータスを送信することはデュアルキャリアコードワードを送信することを備え、前記デュアルキャリアコードワードは、第４キャリアについてのＤＴＸをさらに指定する、Ｃ１１に記載の方法。
[Ｃ１４]  第２のＨＳ−ＤＰＣＣＨスロットの間に、
拡散率２５６を使用して前記第２のスロットを拡散することと、
前記第２のスロットの全持続時間の間にＤＣ−ＭＩＭＯから選択された第１キャリアおよび第２キャリアについてのコードワードを送信することと、
をさらに備えるＣ１に記載の方法。
[Ｃ１５]  前記ＨＳ−ＤＰＣＣＨスロットの第２の半分の間に前記第１キャリアおよび第２キャリアについてのアクナレッジメントステータスを送信することを繰り返すこと、
をさらに備えるＣ１に記載の方法。
[Ｃ１６]  前記第１キャリアおよび第２キャリアの少なくとも１つは、ＭＩＭＯをサポートするように構成される、Ｃ１に記載の方法。
[Ｃ１７]  前記キャリアの少なくとも１つは、ＭＩＭＯをサポートするように構成される、Ｃ２に記載の方法。
[Ｃ１８]  装置であって、
ＨＳＤＰＡシステムについての受信信号に存在する少なくとも１つのキャリアを検出するように構成されたキャリア検出モジュールと、
少なくとも１つの検出されたキャリアからデータを復号するように構成されたキャリア受信モジュールと、
前記キャリア受信モジュールおよび前記キャリア検出モジュールの出力に基づいて、第１キャリアおよび第２キャリアについてのコードワードシグナリングアクナレッジメントステータスを生成するように構成された符号器と、
ＨＳ−ＤＰＣＣＨスロットの第１の半分の間に、前記コードワードを送信するように構成された送信モジュールと、
を備える装置。
[Ｃ１９]  前記送信モジュールは、前記ＨＳ−ＤＰＣＣＨスロットの第２の半分の間に第３キャリアおよび第４キャリアについてのアクナレッジメントステータスを送信するようにさらに構成される、Ｃ１８に記載の装置。
[Ｃ２０]  前記ＨＳ−ＤＰＣＣＨスロットは、拡散率１２８を使用して拡散する、Ｃ１８に記載の装置。
[Ｃ２１]  前記送信モジュールは、Ｗ−ＣＤＭＡ標準規格のリリース９で指定されたＤＣ−ＨＳＤＰＡコードブックから選択されたコードワードを送信することによって、第１キャリアおよび第２キャリアについてのアクナレッジメントステータスを送信するようにさらに構成される、Ｃ１８に記載の装置。
[Ｃ２２]  前記送信モジュールは、Ｗ−ＣＤＭＡ標準規格のリリース９で指定されたＤＣ−ＭＩＭＯコードブックから選択されたコードワードを送信することによって、第１キャリアおよび第２キャリアについてのアクナレッジメントステータスを送信するようにさらに構成される、Ｃ１８に記載の装置。
[Ｃ２３]  前記送信モジュールは、Ｗ−ＣＤＭＡ標準規格のリリース９で指定されたＤＣ−ＭＩＭＯコードブックから得られたコードブックから選択されたコードワードを送信することによって、第１キャリアおよび第２キャリアについてのアクナレッジメントステータスを送信するようにさらに構成され、前記コードブックは、ＤＴＸ−ＤＴＸコードワードを含むようにさらに増加される、Ｃ２０に記載の装置。
[Ｃ２４]  前記送信モジュールは、前記ＨＳ−ＤＰＣＣＨチャネルの前記スロットの第２の半分の間に第３キャリアについてのアクナレッジメントステータスを送信するようにさらに構成される、Ｃ１８に記載の装置。
[Ｃ２５]  前記送信モジュールは、Ｗ−ＣＤＭＡ標準規格で指定されたシングルキャリアコードブックから選択されたコードワードを送信することによって、前記第３キャリアについてのアクナレッジメントステータスを送信するようにさらに構成される、Ｃ２４に記載の装置。
[Ｃ２６]  前記送信モジュールは、デュアルキャリアコードワードを送信することによって、前記第３キャリアについてのアクナレッジメントステータスを送信するようにさらに構成され、前記デュアルキャリアコードワードは、第４キャリアについてのＤＴＸをさらに指定する、Ｃ２４に記載の装置。
[Ｃ２７]  前記送信モジュールは、第２のＨＳ−ＤＰＣＣＨスロットの間に、
拡散率２５６を使用して前記第２スロットを拡散するように、
前記第２スロットの全持続時間の間にＤＣ−ＭＩＭＯコードブックから選択された第１キャリアおよび第２キャリアについてのコードワードを送信するように、
さらに構成される、Ｃ１８に記載の装置。
[Ｃ２８]  前記送信モジュールは、
前記ＨＳ−ＤＰＣＣＨスロットの第２の半分の間に前記第１キャリアおよび第２キャリアについてのアクナレッジメントステータスを送信することを繰り返すように、
さらに構成される、Ｃ１８に記載の装置。
[Ｃ２９]  ＨＳ−ＤＰＣＣＨスロットの第１の半分の間に第１キャリアおよび第２キャリアについてのアクナレッジメントステータスを送信するための手段、
を備える装置。
[Ｃ３０]  前記ＨＳ−ＤＰＣＣＨスロットの第２の半分の間に第３キャリアおよび第４キャリアについてのアクナレッジメントステータスを送信するための手段、
をさらに備えるＣ２９に記載の装置。
[Ｃ３１]  ＨＳ−ＤＰＣＣＨスロットの第１の半分の間に第１キャリアおよび第２キャリアについてのアクナレッジメントステータスをコンピュータに送信させるための命令、
を格納するコンピュータ可読記憶媒体。
[Ｃ３２]  前記ＨＳ−ＤＰＣＣＨスロットの第２の半分の間に第３キャリアおよび第４キャリアについてのアクナレッジメントステータスをコンピュータに送信させるための命令、
をさらに格納するＣ３１に記載のコンピュータ可読記憶媒体。
[Ｃ３３]  ＨＳ−ＤＰＣＣＨスロットの第１の半分の間に第１キャリアおよび第２キャリアについてのアクナレッジメントステータスを受信すること、
を備える方法。
[Ｃ３４]  ＨＳ−ＤＰＣＣＨスロットの第１の半分の間に第１キャリアおよび第２キャリアについてのアクナレッジメントステータスを受信すること、
をさらに備えるＣ３３に記載の方法。
[Ｃ３５]  ＨＳ−ＤＰＣＣＨスロットの第１の半分の間に、第１キャリアおよび第２キャリアについてのコードワードシグナリングアクナレッジメントステータスを受信するように構成された受信モジュールと、
前記コードワードシグナリングアクナレッジメントステータスを復号するように構成された復号モジュールと、
を備える装置。
[Ｃ３６]  前記受信モジュールは、前記ＨＳ−ＤＰＣＣＨスロットの第２の半分の間に第３キャリアおよび第４キャリアについてのコードワードシグナリングアクナレッジメントステータスを受信するようにさらに構成される、Ｃ３５に記載の装置。
【図１】
0006033829.tif 000002
【図２Ａ】
0006033829.tif 000003
【図２Ｂ】
0006033829.tif 000004
【図２Ｃ】
0006033829.tif 000005
【図３】
0006033829.tif 000006
【図４】
0006033829.tif 000007
【図５】
0006033829.tif 000008
【図６】
0006033829.tif 000009
【図７】
0006033829.tif 000010
【図８】
0006033829.tif 000011
【図９】
0006033829.tif 000012
【図１０Ａ】
0006033829.tif 000013
【図１０Ｂ】
0006033829.tif 000014
【図１０Ｃ】
0006033829.tif 000015
【図１０Ｄ】
0006033829.tif 000016
【図１０Ｅ】
0006033829.tif 000017
【図１１Ａ】
0006033829.tif 000018
【図１１Ｂ】
0006033829.tif 000019
【図１２Ａ】
0006033829.tif 000020
【図１２Ｂ】
0006033829.tif 000021
【図１３Ａ】
0006033829.tif 000022
【図１３Ｂ】
0006033829.tif 000023
【図１３Ｃ】
0006033829.tif 000024
【図１３Ｄ】
0006033829.tif 000025